(57)【要約】【課題】図書館等における図書検索システムに関し、利用者に移動棚に収納された所望の図書を簡単、且つ迅速に出庫することを目的とする。【解決手段】電動式移動棚装置Ｔ、移動棚制御装置５、コンピュータ３、タッチパネル式ディスプレイ装置４で構成される移動棚運転制御システム２、図書管理システム１とにより図書検索システムが形成され、前記図書管理システム１からの図書２０固有の分類情報を、前記タッチパネル式ディスプレイ装置４のタッチパネルで入力することにより、所望の図書２０を収納した移動棚を検索プログラムから検索し、検索した図書２０の移動棚情報をディスプレイに表示すると共に、関連する移動棚を所定の位置に移動させるよう構成する。【選択図】図２
2012106856.tif 000002
【特許請求の範囲】
【請求項１】
複数の移動棚が所定の配列方向に沿って配列され、前記移動棚を所定の配列方向に沿って移動させることにより、所定の移動棚と相隣る移動棚との間に作業用通路を形成する、各移動棚に運転操作スイッチを設置した電動式移動棚装置と、
前記移動棚の移動を制御する移動棚運転制御装置と、
図書固有の分類情報と分類情報に連動した棚情報から図書の保管棚の検索プログラムを内蔵するコンピュータと、
前記図書固有の分類情報を入力する操作部と、該図書固有の分類情報と前記分類情報に連動した棚情報を表示するためのモニタを備えたタッチパネル式ディスプレイ装置とで構成される移動棚運転制御システムと、
前記図書固有の分類情報をデータベースで管理する図書管理システムを構成する一方、
前記移動棚運転制御システムと前記図書管理システムを通信手段で連結し、
前記コンピュータに前記図書管理システムからの図書固有の分類情報に基づいた棚番号を登録し、所望の図書の分類情報を前記タッチパネル式ディスプレイ装置から入力することにより、分類情報に基づいた移動棚を前記図書を保管する移動棚の検索プログラムから検索して特定し、
前記検索した図書の棚情報を前記タッチパネル式ディスプレイ装置に表示すると共に、該タッチパネル式ディスプレイ装置のタッチパネルスイッチによる運転操作、あるいは各移動棚に設置された運転操作スイッチによる運転操作により、関連する移動棚を所定の位置に移動させ、前記図書を保管する移動棚の前後に作業用通路を形成するようにしたことを特徴とする図書検索システムを備えた電動式移動棚装置。
【発明の詳細な説明】
【技術分野】
【０００１】
本発明は、図書館、大学、研究所等の書庫に設置される図書検索システムを備えた電動式移動棚装置に関するものである。
【０００２】
従来、図書館、大学、研究所等は膨大な図書類を有し、その図書類を保管するために保管効率を高める目的から複数の移動可能な移動棚を利用して図書類を保管している。一方、膨大な図書類を管理するため図書館、大学、研究所等では、各図書の情報をデータベース化し管理する図書管理システムが構築され、各図書はあらかじめ決められた分類方式に従ってデータベース化し、管理、保管されている。そして、これらの図書類を移動棚より出庫するためには、前記図書管理システムを利用して、目的の図書の検索を行い、保管されている場所を特定し、保管されている移動棚を所定の位置に移動して、目的の図書を出庫していた。
【０００３】
一方、図書館、大学、研究所等の書庫に設置される電動式移動棚における図書検索システムに関する過去の特許文献を遡及検索しても、１件の先行特許文献をも発見することができなかった。ただ、図書の検索システムではないが、下記の特許分文献に示す「カルテファイル管理装置」が開示されている。
【先行技術文献】
【特許文献】
【０００４】
【特許文献１】特許第２７５３９６２号公報
【発明の概要】
【発明が解決しようとする課題】
【０００５】
前記従来の図書館、大学、研究所等における複数の移動可能な移動棚を利用して図書管理システムでは、該図書管理システムと移動棚の棚情報は連携されておらず、別々に管理されているため、図書管理システムで図書を検索しただけでは目的の図書を移動棚より的確に出庫することが困難であるという課題があった。
【０００６】
また、図書の保管数量の増加に伴い、保管設備としての移動棚も増加し、このため図書の保管場所が日常的、頻繁に変わると共に、不特定多数の利用者に開放し、利用頻度も増加しており、利用者が目的の図書を検索し、保管されている棚より出庫する場合、図書を検索しても保管されている棚を特定することが出来ないケースが増え、容易に図書を出庫できなくなるという課題があった。
【０００７】
更に、特許文献１に記載の発明は、図書の管理システムではなく、病院のカルテファイル管理装置であり、カルテファイルを収納する複数の棚段からなる棚連を複数連設してなる棚を平行に複数台配設した棚装置において、１ブロックの棚装置全体の動作モード、分類および取出し件数を表示するメッセージモニター表示器が所定の棚の側板表面に設置される一方、更に所要のカルテファイルの番号、該ファイル番号のカルテファイルの収納されている位置を表示する棚連表示器が各棚連毎の所定棚段の棚間口面に設置されて構成されているため、該カルテファイル管理装置をそのまま図書の管理システムに転用することはできず、また仮に転用できたとしても、メッセージモニター表示器と複数個の棚連表示器とを備える必要があるため、構成部材が多くなり、その結果コストが高くなり、また使用方法も複雑となるという課題があった。
【０００８】
本発明は、前記課題を解決すべくなされたものであって、不慣れな利用者でも容易に図書を出庫可能にする図書検索システムを備えた電動式移動棚装置を提供しようとするものである。
【課題を解決するための手段】
【０００９】
本発明は、複数の移動棚が所定の配列方向に沿って配列され、前記移動棚を所定の配列方向に沿って移動させることにより、所定の移動棚と相隣る移動棚との間に作業用通路を形成する、各移動棚に運転操作スイッチを設置した電動式移動棚装置と、
前記移動棚の移動を制御する移動棚運転制御装置と、
図書固有の分類情報と分類情報に連動した棚情報から図書の保管棚の検索プログラムを内蔵するコンピュータと、
前記図書固有の分類情報を入力する操作部と、該図書固有の分類情報と前記分類情報に連動した棚情報を表示するためのモニタを備えたタッチパネル式ディスプレイ装置とで構成される移動棚運転制御システムと、
前記図書固有の分類情報をデータベースで管理する図書管理システムを構成する一方、
前記移動棚運転制御システムと前記図書管理システムを通信手段で連結し、
前記コンピュータに前記図書管理システムからの図書固有の分類情報に基づいた棚番号を登録し、所望の図書の分類情報を前記タッチパネル式ディスプレイ装置から入力することにより、分類情報に基づいた移動棚を前記図書を保管する移動棚の検索プログラムから検索して特定し、
前記検索した図書の棚情報を前記タッチパネル式ディスプレイ装置に表示すると共に、該タッチパネル式ディスプレイ装置のタッチパネルスイッチによる運転操作、あるいは各移動棚に設置された運転操作スイッチによる運転操作により、関連する移動棚を所定の位置に移動させ、前記図書を保管する移動棚の前後に作業用通路を形成するという手段を採用することにより、上記課題を解決した。
【発明の効果】
【００１０】
前記構成より成る本発明によれば、図書管理システムの分類番号と、移動棚装置に記憶させた分類番号と棚番号から分類番号を特定するだけで即座に所望の図書が保管されている棚を特定し、タッチパネル式ディスプレイ装置のタッチパネルスイッチによる運転操作、あるいは各移動棚に設置された運転操作スイッチによる運転操作により、収納されている図書の移動棚が自動運転されるので、利用者がいちいち目的の棚を目視で探す必要はなく容易に目的の棚に行くことができ、利用者誰もが容易、且つ迅速に、然も正確に図書を出庫することが可能になり、利便性が増す。このため、特定の利用者のみならず不特定多数の利用者でも検索が可能となる。
【００１１】
更に、移動棚運転制御システムに搭載したコンピュータの図書固有の分類情報と分類情報に連動した棚情報は構成される移動棚の個数だけでよいため、非常に登録情報は少なくすみ、検索プログラム容量が少ないので、小容量の記憶容量コンピュータが利用でき、小型、軽量、安価なシステムに構築できる。
【００１２】
また、棚情報に変更が生じた場合も、システムの変更が容易で、然も迅速にできるため、増加する図書の管理に対して図書管理者の負担が少なく、利用者も棚の構成が変更になっても間違うことなく図書の保管棚の検索が可能となる。
【００１３】
また更に、既設の電動式移動棚装置に対しても、コンピュータを備えたタッチパネル式ディスプレイ装置を追加するだけで、前記本願発明装置における効果を共有することができる。
【図面の簡単な説明】
【００１４】
【図１】本発明図書検索システムのブロック図である。
【図２】本発明図書検索システムを備えた電動式移動棚装置の一実施例を示す正面図である。
【図３】本発明図書検索システムの動作フローチャートである。
【図４】図書と図書の分類ラベルとその概略構成を示す斜視図である。
【実施例】
【００１５】
本発明電動式移動棚装置における図書検索システムは、図１に示すように、図書管理システム１と移動棚運転制御システム２とにより構成されていると共に、該移動棚運転制御システム２は、複数の移動棚Ａ〜Ｅを備えた電動式移動棚装置Ｔと、コンピュータ３と、入力操作部、モニタを備えたタッチパネル式ディスプレイ装置４、並びに前記電動式移動棚装置Ｔの移動を制御する移動棚制御装置５とで一体的に構成されている。また、前記移動棚Ａ〜Ｅには、各々運転操作スイッチ６が装着され、移動棚は運転操作スイッチ６によっても移動棚制御装置５を介して運転できるように構成されている(図２参照)。
【００１６】
図２は、本発明図書検索システムを備えた電動式移動棚装置の一実施例を示す正面図であり、前記電動式移動棚装置Ｔは、床上に敷設されたレールＲ上に移動棚Ａ〜Ｅがそれぞれ所定の配列方向に沿って配置されると共に、前記各移動棚Ａ〜Ｅが所定の配列方向に沿って前記レールＲ上を走行車輪Ｗを介して左右方向に移動可能に配置されている。
【００１７】
前記各移動棚Ａ〜Ｅのうち、両端の移動棚Ａ・Ｅは固定棚であってもよく、また壁面であってもよい。本発明の実施例においては、説明の都合上、すべてが移動棚として説明する。
【００１８】
前記各移動棚Ａ〜Ｅ間には、それぞれ相隣る移動棚間に通路１１〜１４が形成でき、図２においては、前記移動棚Ａ・Ｂ・Ｃをそれぞれ左側に移動させて密集すると共に、前記移動棚Ｄ・Ｅを右側に移動させて、通路１３部分を最大限に広く開けて出庫作業用通路として、図書の出庫作業が円滑に行われるよう形成されている。
【００１９】
前記各移動棚各移動棚Ａ〜Ｅの下部には、それぞれ自走用の可逆モータＭ１〜Ｍ５が取付けられていて、それぞれ各移動棚Ａ〜Ｅの底部に軸装された走行車輪Ｗを回転させてレールＲ上を走行する。
【００２０】
また、図１、図２に示すように、前記コンピュータ３とタッチパネル式ディスプレイ装置４および移動棚制御装置５とは互いにケーブル等により接続されると共に、前記各移動棚Ａ〜Ｅは前記移動棚制御装置５とケーブル等により接続されている。更に、前記コンピュータ３は、図書管理システム１と有線ＬＡＮ，あるいは無線ＬＡＮ等の通信手段で連結されている。
【００２１】
そして、図４に示すように、各図書２０は図書分類ラベル２１により分類されるが、前記各図書２０の分類ラベル２１には検索項目である図書名、著作名、出版社名と図書館における分類情報等の図書館における管理コード２１ａが付され、図書管理システム１における図書データベース１０に格納される。
【００２２】
一方、移動棚運転制御システム２に搭載されているコンピュータ３には、前記管理コード２１ａに基づいて収納される移動棚を特定し、管理する移動棚のデータベースが格納される。すなわち、前記コンピュータ３は、図書固有の分類情報と該分類情報に連動した棚情報から棚番号を登録し、所望の図書を保管する移動棚を検索する検索プログラムを内蔵している。
【００２３】
そして、利用者が本発明図書管理システムにより検索した図書２０を移動棚より出庫するためには、検索した図書２０を収納した移動棚を探し、所定の移動棚より出庫する必要があるが、本発明図書管理システムは、前記コンピュータ３により集中的に管理されており、該コンピュータ３の指令に基づく前記移動棚制御装置５の制御により、各移動棚Ａ〜Ｅのうち所定の移動棚を移動させて、所望の図書を出庫するための作業用通路を形成する。
【００２４】
また、前記タッチパネル式ディスプレイ装置４は、前記図書固有の分類情報をタッチパネルで入力する共に、探索された移動棚をタッチパネルスイッチで移動させる操作部と、該図書固有の分類情報と前記分類情報に連動した棚情報を表示するためのモニタを備えて形成されている。そして、前記図書固有の分類情報を図書データベースで管理するようにした図書管理システムが構成されている。
【００２５】
前記のように構成された本発明の図書検索システムにおける動作を、図３のフローチャートに基づいて説明する。利用者は図書管理システム１で、図書名、著作名、出版社名に基づいて図書２０の検索処理をして、図書館における図書情報等の図書館における管理コード２１ａを出力し（ステップ１）、前記ステップ１において検索されて出力された図書の管理コード２１ａを、移動棚運転システム２のタッチパネル式ディスプレイ装置４を用いて入力する（ステップ２）。
【００２６】
前記ステップ２において、タッチパネル式ディスプレイ装置４を用いて入力された図書の管理コード２１ａに基づいて、コンピュータ３は図書の収納されている移動棚を探索する移動棚探索処理を行い（ステップ３）、所望する図書が収納されている移動棚を特定し、その移動棚の棚番号をタッチパネル式ディスプレイ装置４に表示する（ステップ４）。
【００２７】
そして、前記ステップ４において、移動棚番号表示がなされ、特定された移動棚が運転可能であれば、利用者は前記タッチパネル式ディスプレイ装置４、あるいは移動棚に設置されている運転操作スイッチ６のいずれかにより運転操作をするかの意思決定をし、該決定に基づき、前記タッチパネル式ディスプレイ装置４のタッチパネルスイッチによる運転操作、あるいは各移動棚に装着された運転操作スイッチ６による運転操作により、前記特定の移動棚の運転操作を行う（ステップ５）。前記ステップ５に基づく移動棚の運転制御は、移動棚運転制御装置５により制御され、制御プログラムに基づいて自動運転されて（ステップ６）、図書の出庫が可能なように作業用通路が形成される（ステップ７）。これにより、利用者は通路内に進入し、所望の図書を出庫することができる。
【００２８】
すなわち、本発明装置においては、移動棚の運転操作は、タッチパネル式ディスプレイ装置４のタッチパネルスイッチによる運転操作、あるいは各移動棚に設置された運転操作スイッチ６による運転操作によっても作業用通路を形成することができるので、利用者が何度か探索して、所望の図書が収納されている棚番号を記憶している場合は、前記検索作業をすることなく、直ちに前記運転操作スイッチ６による運転操作によって、移動棚を移動することができるので作業の迅速化を図ることができる。
【符号の説明】
【００２９】
Ｔ  電動式移動棚装置
Ａ〜Ｅ  移動棚
Ｍ１〜Ｍ５  可逆モータ
Ｗ  走行車輪
Ｒ  レール
１  図書管理システム
２  移動棚運転制御システム
３  コンピュータ
４  タッチパネル式ディスプレイ装置
５  移動棚運転制御装置
６  運転操作スイッチ
１０  図書データベース
１１〜１４  通路
２０  図書
２１  図書分類コード
２１ａ 管理コード
【図１】
2012106856.tif 000003
【図２】
2012106856.tif 000004
【図３】
2012106856.tif 000005
【図４】
2012106856.tif 000006